(57)【特許請求の範囲】
【請求項１】
孔が設けられた外壁と、
前記外壁に設けられ、第１の領域と、前記孔の一方の端が開口し、前記第１の領域よりも前記外壁の縁に近く、前記第１の領域よりも濡れ性が大きい、第２の領域と、を有する内面と、
前記内面の反対側で前記外壁に設けられ、前記孔の他方の端が開口する外面と、
を具備し、
前記孔は、第１の部分と、前記第１の部分よりも前記第２の領域に近く、前記外面に向かうに従って縮小する第２の部分と、を有する、
電子機器の筐体。
【請求項２】
孔が設けられた外壁と、
前記外壁に設けられ、第１の領域と、前記孔の一方の端が開口し、前記第１の領域よりも前記外壁の縁に近く、前記第１の領域よりも濡れ性が大きい、第２の領域と、を有する内面と、
前記内面の反対側で前記外壁に設けられ、前記孔の他方の端が開口する外面と、
前記内面から突出し、前記第１の領域と前記第２の領域との間に位置する突出壁と、
を具備する電子機器の筐体。
【請求項３】
前記突出壁は、前記第２の領域を囲み、前記第２の領域と前記内面の他の部分との間を隔てる、請求項２の電子機器の筐体。
【請求項４】
孔が設けられた外壁と、
前記外壁に設けられ、第１の領域と、前記孔の一方の端が開口し、前記第１の領域よりも前記外壁の縁に近く、前記第１の領域よりも濡れ性が大きい、第２の領域と、を有する内面と、
前記内面の反対側で前記外壁に設けられ、前記孔の他方の端が開口する外面と、
を具備し、
内部に配置された送風機によって流動する気体が前記孔を通過する、
電子機器の筐体。
【請求項５】
孔が設けられた外壁と、
前記外壁に設けられ、第１の領域と、前記孔の一方の端が開口し、前記第１の領域よりも前記外壁の縁に近く、前記第１の領域よりも濡れ性が大きい、第２の領域と、を有する内面と、
前記内面の反対側で前記外壁に設けられ、前記孔の他方の端が開口する外面と、
を具備し、
前記孔は、前記外壁の縁に沿って並ぶ複数の孔を含む、
電子機器の筐体。
【請求項６】
前記外壁に設けられ、前記孔の少なくとも一部を形成し、前記第２の領域と連続し、前記第１の領域よりも濡れ性が大きい縁面、をさらに具備する請求項１乃至請求項５のいずれか一つの電子機器の筐体。
【発明の詳細な説明】
【技術分野】
【０００１】
本発明の実施形態は、電子機器の筐体に関する。
【背景技術】
【０００２】
電子機器では、筐体に種々の部品が収容される。従来、水のような液体が付着する状況での利用が想定される電子機器の筐体として、水の浸入に対する耐性を備える筐体が知られる。
【先行技術文献】
【特許文献】
【０００３】
【特許文献１】特開２０１６−０１８９４４号公報
【発明の概要】
【発明が解決しようとする課題】
【０００４】
電子機器の利用が想定される状況に応じて、当該電子機器の筐体の耐水性能は設定され得る。電子機器の利用が想定される状況に対して過剰な耐水性能は、電子機器のコストを増大させてしまう。
【０００５】
本発明が解決する課題の一例は、液体が電子機器に影響を及ぼすことを抑制可能でありながらコストが増大することを抑制可能な電子機器の筐体を提供することである。
【課題を解決するための手段】
【０００６】
本発明の第１態様に係る電子機器の筐体は、孔が設けられた外壁と、前記外壁に設けられ、第１の領域と、前記孔の一方の端が開口し、前記第１の領域よりも前記外壁の縁に近く、前記第１の領域よりも濡れ性が大きい、第２の領域と、を有する内面と、前記内面の反対側で前記外壁に設けられ、前記孔の他方の端が開口する外面と、を備え、前記孔は、第１の部分と、前記第１の部分よりも前記第２の領域に近く、前記外面に向かうに従って縮小する第２の部分と、を有する。
【０００７】
前記電子機器の筐体は、前記外壁に設けられ、前記孔の少なくとも一部を形成し、前記第２の領域と連続し、前記第１の領域よりも濡れ性が大きい縁面、をさらに備える。
【０００９】
本発明の第２態様に係る電子機器の筐体は、孔が設けられた外壁と、前記外壁に設けられ、第１の領域と、前記孔の一方の端が開口し、前記第１の領域よりも前記外壁の縁に近く、前記第１の領域よりも濡れ性が大きい、第２の領域と、を有する内面と、前記内面の反対側で前記外壁に設けられ、前記孔の他方の端が開口する外面と、前記内面から突出し、前記第１の領域と前記第２の領域との間に位置する突出壁と、を備える。
【００１０】
前記電子機器の筐体では、前記突出壁は、前記第２の領域を囲み、前記第２の領域と前記内面の他の部分との間を隔てる。
【００１１】
本発明の第３態様に係る電子機器の筐体は、孔が設けられた外壁と、前記外壁に設けられ、第１の領域と、前記孔の一方の端が開口し、前記第１の領域よりも前記外壁の縁に近く、前記第１の領域よりも濡れ性が大きい、第２の領域と、を有する内面と、前記内面の反対側で前記外壁に設けられ、前記孔の他方の端が開口する外面と、を備え、前記筐体の内部に配置された送風機によって流動する気体が前記孔を通過する。
【００１２】
本発明の第４態様に係る電子機器の筐体は、孔が設けられた外壁と、前記外壁に設けられ、第１の領域と、前記孔の一方の端が開口し、前記第１の領域よりも前記外壁の縁に近く、前記第１の領域よりも濡れ性が大きい、第２の領域と、を有する内面と、前記内面の反対側で前記外壁に設けられ、前記孔の他方の端が開口する外面と、を備え、前記孔は、前記外壁の縁に沿って並ぶ複数の孔を含む。
【発明の効果】
【００１３】
本発明の上記態様によれば、液体が電子機器に影響を及ぼすことを抑制可能であるとともにコストが増大することを抑制可能な電子機器の筐体を得ることが可能となる。
【図面の簡単な説明】
【００１４】
【図１】図１は、一つの実施形態に係るタブレットコンピュータ（タブレット）を示す斜視図である。
【図２】図２は、上記実施形態のタブレットの一部の断面を示す斜視図である。
【図３】図３は、上記実施形態のタブレットの一部を示す断面図である。
【図４】図４は、上記実施形態のリアカバーを示す斜視図である。
【図５】図５は、上記実施形態のリアカバーの一部を示す斜視図である。
【図６】図６は、上記実施形態の底壁の一部を、図３のＦ６−Ｆ６線に沿って示す断面図である。
【発明を実施するための形態】
【００１５】
以下に、一つの実施形態について、図１乃至図６を参照して説明する。なお、本明細書において、実施形態に係る構成要素及び当該要素の説明が、複数の表現で記載されることがある。構成要素及びその説明は、一例であり、本明細書の表現によって限定されない。構成要素は、本明細書におけるものとは異なる名称でも特定され得る。また、構成要素は、本明細書の表現とは異なる表現によっても説明され得る。
【００１６】
図１は、一つの実施形態に係るタブレットコンピュータ（タブレット）１０を示す斜視図である。タブレット１０は、電子機器の一例である。なお、電子機器は、タブレット１０に限らず、パーソナルコンピュータ（ＰＣ）、スマートフォン、携帯電話、携帯情報端末（ＰＤＡ）、ゲーム機、ウェアラブル機器、又は他の電子機器であっても良い。
【００１７】
各図面に示されるように、本明細書において、便宜上、Ｘ軸、Ｙ軸及びＺ軸が定義される。Ｘ軸とＹ軸とＺ軸とは、互いに直交する。Ｘ軸は、タブレット１０の幅に沿って設けられる。Ｙ軸は、タブレット１０の長さに沿って設けられる。Ｚ軸は、タブレット１０の厚さに沿って設けられる。
【００１８】
さらに、本明細書において、Ｘ方向、Ｙ方向及びＺ方向が定義される。Ｘ方向は、Ｘ軸に沿う方向であって、Ｘ軸の矢印が示す＋Ｘ方向と、Ｘ軸の矢印の反対方向である−Ｘ方向とを含む。Ｙ方向は、Ｙ軸に沿う方向であって、Ｙ軸の矢印が示す＋Ｙ方向と、Ｙ軸の矢印の反対方向である−Ｙ方向とを含む。Ｚ方向は、Ｚ軸に沿う方向であって、Ｚ軸の矢印が示す＋Ｚ方向と、Ｚ軸の矢印の反対方向である−Ｚ方向とを含む。
【００１９】
図２は、本実施形態のタブレット１０の一部の断面を示す斜視図である。図２に示すように、タブレット１０は、筐体１１と、表示装置１２と、タッチパネル１３と、基板１４と、他の種々の部品とを有する。例えば、タブレット１０は、ハードディスクドライブ（ＨＤＤ）又はソリッドステートドライブ（ＳＳＤ）のような記録装置と、バッテリと、通信装置とをさらに有する。なお、タブレット１０に備えられる部品は、この例に限られない。
【００２０】
筐体１１は、表示装置１２、タッチパネル１３、基板１４、及び他の部品を収容する。なお、表示装置１２及びタッチパネル１３は、筐体１１の外部に露出している。タブレット１０は、筐体１１の外部に配置された部品を有しても良い。
【００２１】
表示装置１２は、例えば、液晶ディスプレイ（ＬＣＤ）又は有機ＥＬディスプレイ（ＯＬＥＤ）である。なお、表示装置１２は、他の表示装置であっても良い。表示装置１２は、Ｘ−Ｙ平面に沿う略四角形の板状に形成される。
【００２２】
表示装置１２は、筐体１１の外部に向く表示面１２ａを有する。表示面１２ａは、略平坦に形成され、＋Ｚ方向に向く。表示装置１２は、入力された電気信号に応じて、表示面１２ａに種々の画像を表示する。
【００２３】
タッチパネル１３は、例えば、静電容量方式のタッチパネルであり、入力装置として用いられる。タッチパネル１３は、表示装置１２の表示面１２ａを覆う。なお、タッチパネル１３は、電磁誘導方式のタッチパネルであっても良いし、表示面１２ａの反対側に位置しても良い。
【００２４】
基板１４は、例えば、プリント回路板（ＰＣＢ）又はフレキシブルプリント回路板（ＦＰＣ）である。基板１４に、例えば、中央演算処理装置（ＣＰＵ）と、ランダムアクセスメモリ（ＲＡＭ）と、リードオンリーメモリ（ＲＯＭ）と、種々の電子部品が搭載されている。基板１４は、それぞれに種々の電子部品が搭載された複数の基板を含んでも良い。
【００２５】
以下、筐体１１について詳しく説明する。筐体１１は、リアカバー２１と、フロントカバー２２と、図１の四つのクッション材２３とを有する。筐体１１は、他の部材をさらに有しても良い。
【００２６】
リアカバー２１は、例えば、合成樹脂によって作られる。なお、リアカバー２１は、金属のような他の材料によって作られても良い。リアカバー２１は、底壁３１と、側壁３２と、を有する。底壁３１は、外壁の一例である。底壁３１は、筐体１１の内部と外部とを隔てる。
【００２７】
底壁３１は、Ｘ−Ｙ平面に沿う略四角形の板状に形成される。底壁３１は、表示装置１２から−Ｚ方向に離間するとともに、表示装置１２と略平行に配置される。なお、底壁３１は、この例に限られない。
【００２８】
図３は、本実施形態のタブレット１０の一部を示す断面図である。図３に示すように、底壁３１は、外面３１ａと、内面３１ｂとを有する。言い換えると、底壁３１に、外面３１ａ及び内面３１ｂが設けられる。
【００２９】
外面３１ａは、筐体１１の外部に向く。本実施形態において、外面３１ａは、略平坦に形成され、−Ｚ方向に向く。外面３１ａは、内面３１ｂの反対側に位置する。内面３１ｂは、筐体１１の内部に向く。本実施形態において、内面３１ｂは、略平坦に形成され、＋Ｚ方向に向く。内面３１ｂは、間隔を介して表示装置１２に向く。
【００３０】
側壁３２は、底壁３１と一体に形成される。側壁３２は、底壁３１から＋Ｚ方向に突出している。側壁３２は、外面３２ａと、端部３２ｂと、を有する。外面３２ａは、筐体１１の外部に向く。側壁３２の端部３２ｂは、＋Ｚ方向における側壁３２の端に位置する。図２に示すように、Ｚ方向において、端部３２ｂは、基板１４から＋Ｚ方向に離間している。なお、基板１４の配置は、この例に限られない。
【００３１】
図４は、本実施形態のリアカバー２１を示す斜視図である。図４に示すように、側壁３２に、複数の切欠き３２ｃが設けられる。切欠き３２ｃは、側壁３２の端部３２ｂに開口する。本実施形態において、切欠き３２ｃは、端部３２ｂから、底壁３１まで延びている。このため、切欠き３２ｃは、側壁３２が設けられていない箇所である。なお、切欠き３２ｃは、この例に限られない。
【００３２】
切欠き３２ｃに隣接して、筐体１１の内部に種々の部品が配置される。例えば、ＵＳＢコネクタのような種々のコネクタ、スイッチボタン、ドッキングベイのフックが結合される結合部品、及びセキュリティワイヤが取り付けられる取付部品が、切欠き３２ｃに隣接して配置される。当該種々の部品は、例えば、切欠き３２ｃを介して筐体１１の外部に露出される。
【００３３】
図５は、本実施形態のリアカバー２１の一部を示す斜視図である。図５に示すように、内面３１ｂは、第１の領域４１と、複数の第２の領域４２と、複数の第３の領域４３と、を有する。図５は、複数の第３の領域４３のうち一つを示す。
【００３４】
第１の領域４１は、例えば、内面３１ｂの中央を含む部分に設けられる。第１の領域４１は、例えば、スパッタリングで形成された金属膜により覆われている。例えば、第１の領域４１の上に、基板１４のような種々の部品が配置される。なお、第１の領域４１は、この例に限られない。
【００３５】
第２の領域４２は、底壁３１の縁３１ｃに沿って延びている。第２の領域４２は、底壁３１の縁３１ｃと、第１の領域４１との間に位置する。言い換えると、第２の領域４２は、第１の領域４１よりも、底壁３１の縁３１ｃに近い。第２の領域４２は、第１の領域４１よりも狭い。
【００３６】
第２の領域４２は、例えば、シボ加工を施されている。これにより、第２の領域４２の濡れ性（ｗｅｔｔａｂｉｌｉｔｙ）は、第１の領域４１の濡れ性よりも大きい。具体的には、同じ体積、同じ種類、且つ同じ温度の液体が第１の領域４１及び第２の領域４２に付着した場合、第２の領域４２に付着した液体の接触角は、第１の領域４１に付着した液体の接触角よりも小さい。シボ加工は、例えば、リアカバー２１を射出成型する金型により形成される。なお、シボ加工は、他の手段によって行われても良い。
【００３７】
第２の領域４２は、上記の例に限られず、例えば、濡れ性が大きい被膜が塗布されていても良い。また、第２の領域４２は表面加工をされていなくても良い。例えば、第１の領域４１が撥水加工されることで、第２の領域４２が第１の領域４１よりも濡れ性が大きくされても良い。
【００３８】
筐体１１の内部において、電気が流れる部品は、第１の領域４１の上に配置され、第２の領域４２から離間している。電気が流れる部品は、第２の領域４２の上方に配置されても良いが、第２の領域４２から離間している。電気が流れる部品は、例えば、基板１４や、バッテリである。
【００３９】
第３の領域４３は、底壁３１の角に設けられる。第３の領域４３は、底壁３１の縁３１ｃと、第１の領域４１との間に位置する。第３の領域４３は、第２の領域４２と隣接する。二つの第３の領域４３の間に、第２の領域４２のうち少なくとも一つが配置される。
【００４０】
第１の領域４１は、複数の第２の領域４２と、複数の第３の領域４３と、によって囲まれている。このため、第１の領域４１は、底壁３１の縁３１ｃから離間している。第１の領域４１と底壁３１の縁３１ｃとの間には、第２の領域４２又は第３の領域４３が位置する。なお、第１の領域４１と底壁３１の縁３１ｃとの間に、他の部分が介在しても良い。
【００４１】
リアカバー２１は、リブ４５をさらに有する。リブ４５は、突出壁の一例である。リブ４５は、底壁３１及び側壁３２と一体に形成される。リブ４５は、底壁３１の内面３１ｂから＋Ｚ方向に突出している。なお、リブ４５は、底壁３１と交差する他の方向に延びても良い。Ｚ方向において、リブ４５の長さ（高さ）は、側壁３２の長さ（高さ）よりも短い。なお、Ｚ方向において、リブ４５の長さが側壁３２の長さと同じかより長くても良い。
【００４２】
リブ４５は、複数の第１のリブ４５ａと、複数の第２のリブ４５ｂとを有する。第１のリブ４５ａと第２のリブ４５ｂとは、一体に形成され、互いに連続する。第１のリブ４５ａは、第１の領域４１と第２の領域４２との間に位置する。第２のリブ４５ｂは、第２の領域４２と第３の領域４３との間と、第１の領域４１と第３の領域４３との間と、に位置する。
【００４３】
リブ４５は、第２の領域４２を囲む。リブ４５は、第２の領域４２と、内面３１ｂの他の部分との間を隔てる。具体的には、リブ４５の第１のリブ４５ａは、第２の領域４２と第１の領域４１との間を隔てる。また、リブ４５の第２のリブ４５ｂは、第２の領域４２と第３の領域４３との間を隔てる。内面３１ｂが第１乃至第３の領域４１〜４３とは異なる領域を有する場合、リブ４５は、第２の領域４２と当該領域との間も隔てる。
【００４４】
図６は、本実施形態の底壁３１の一部を、図３のＦ６−Ｆ６線に沿って示す断面図である。図６に示すように、底壁３１に、複数の孔５１が設けられる。なお、底壁３１には、一つの孔５１が設けられていても良い。
【００４５】
複数の孔５１はそれぞれ、底壁３１を略Ｚ方向に貫通する。孔５１の一方の端は、内面３１ｂに開口する。孔５１の他方の端は、外面３１ａに開口する。このため、孔５１は、筐体１１の内部と外部とを連通する。図５に示すように、本実施形態の底壁３１には、第３の領域４３に開口する孔５２も設けられている。
【００４６】
孔５１，５２は、底壁３１の縁３１ｃに沿って延びる略四角形の断面を有する。すなわち、底壁３１の縁３１ｃに沿う方向における孔５１，５２の長さは、縁３１ｃと直交し且つ内面３１ｂに沿う方向における孔５１，５２の長さよりも長い。なお、孔５１，５２の形状は、この例に限られない。
【００４７】
図６に示すように、底壁３１は、孔５１を形成する縁面５４をさらに有する。縁面５４は、孔５１の内面である。縁面５４は、第２の領域４２と連続している。縁面５４は、第２の領域４２と同じく、例えば、シボ加工を施されている。これにより、縁面５４の濡れ性は、第１の領域４１の濡れ性よりも大きい。なお、縁面５４の濡れ性と第２の領域４２の濡れ性とが異なっても良い。
【００４８】
縁面５４は、部分的に第１の領域４１よりも濡れ性を大きくされても良い。この場合、縁面５４のうち第１の領域４１よりも濡れ性が大きい部分が、縁面の一例となり、第２の領域４２と連続する。
【００４９】
縁面５４は、第１の傾斜面５４ａと、第２の傾斜面５４ｂとを有する。第１の傾斜面５４ａは、外面３１ａと連続し、第２の領域４２から離間している。第２の傾斜面５４ｂは、第１の傾斜面５４ａと第２の領域４２との間に位置し、第２の領域４２と連続する。第２の傾斜面５４ｂは、第１の傾斜面５４ａよりも第２の領域４２に近い。
【００５０】
第１の傾斜面５４ａは、孔５１の一部である第１のテーパ部５１ａを形成（規定）する。第１のテーパ部５１ａは、第１の部分の一例である。第１のテーパ部５１ａは、外面３１ａに向かうに従って、孔５１が延びる方向と直交する断面が縮小する。
【００５１】
第２の傾斜面５４ｂは、孔５１の一部である第２のテーパ部５１ｂを形成する。第２のテーパ部５１ｂは、第２の部分の一例である。第２のテーパ部５１ｂは、第１のテーパ部５１ａよりも第２の領域４２の方に近い。第２のテーパ部５１ｂは、外面３１ａに向かうに従って、孔５１が延びる方向と直交する断面が縮小する。
【００５２】
孔５１が先細るように形成されることで、孔５１が設けられたリアカバー２１が、例えば射出成型により容易に製造され得る。なお、孔５１は、孔５１が延びる方向と直交する断面が一定の部分を有しても良い。
【００５３】
第２のテーパ部５１ｂは、第１のテーパ部５１ａよりも単位長さ当たりの縮小率が大きい。言い換えると、孔５１の中心線Ａｘに対する第２の傾斜面５４ｂの傾斜角度は、孔５１の中心線Ａｘに対する第１の傾斜面５４ａの傾斜角度よりも大きい。
【００５４】
図４に示すように、タブレット１０は、冷却装置５７をさらに有する。図４は、冷却装置５７を二点鎖線で仮想的に示す。冷却装置５７は、筐体１１の内部に配置される。冷却装置５７は、送風機５７ａと、放熱フィン５７ｂとを有する。
【００５５】
送風機５７ａは、筐体１１の内部で気体を流動させる。本実施形態では、送風機５７ａによって流動する気体は、孔５１から筐体１１の内部に流入する。当該気体は、放熱フィン５７ｂを通り、放熱フィン５７ｂに隣接する切欠き３２ｃから筐体１１の外部に排出される。すなわち、少なくとも一つの孔５１は、通気口として用いられる。なお、孔５１は、この例に限られない。例えば、送風機５７ａが放出する気体は、放熱フィン５７ｂと、放熱フィン５７ｂの近傍に設けられた孔５１と、を通って、筐体１１の外部に放出される。
【００５６】
複数の孔５１は、複数の孔５２とともに、底壁３１の縁３１ｃに沿って並ぶ。第２の領域４２の少なくとも一部において、複数の孔５１は、略等間隔に配置され、互いに同一形状を有する。なお、複数の孔５１は、この例に限られない。例えば、複数の孔５１，５２の間隔は、一定でなくても良く、筐体１１に収容された部品の配置により設定される。
【００５７】
図３に示すように、フロントカバー２２は、例えば、合成樹脂によって作られる。なお、フロントカバー２２は、金属のような他の材料によって作られても良い。リアカバー２１の材料とフロントカバー２２の材料とは、同一でも良いし、互いに異なっても良い。フロントカバー２２は、外側壁６１と、支持壁６２とを有する。
【００５８】
外側壁６１は、略四角形の枠状に形成され、底壁３１の縁３１ｃ及び側壁３２を囲む。外側壁６１は、底壁３１の縁３１ｃ及び側壁３２に沿って延びている。外側壁６１は、例えば、側壁３２の切欠き３２ｃに対応した切欠き又は孔によって分割される。
【００５９】
例えば、外側壁６１に爪及び窪みのうち一方が設けられ、側壁３２に爪及び窪みのうち他方が設けられる。当該爪及び窪みが嵌り合うことで、外側壁６１が側壁３２にスナップフィットにより取り付けられる。
【００６０】
フロントカバー２２は、リアカバー２１にネジのような他の手段により取り付けられても良い。本実施形態では、フロントカバー２２は、スナップフィット及びネジ留めによって、リアカバー２１に取り外し可能に取り付けられる。なお、リアカバー２１とフロントカバー２２との取付方法は、この例に限られない。
【００６１】
外側壁６１は、外面６１ａと、内面６１ｂとを有する。外面６１ａは、筐体１１の外部に向く。内面６１ｂは、筐体１１の内部に向く。内面６１ｂは、外面６１ａの反対側に位置する。
【００６２】
外側壁６１の内面６１ｂは、側壁３２の外面３２ａと向かい合う。外側壁６１の内面６１ｂと側壁３２の外面３２ａとは、互いに僅かに離間していても良いし、互いに接触していても良い。
【００６３】
Ｚ方向において、外側壁６１の長さ（高さ）は、側壁３２の長さ（高さ）よりも長い。このため、外側壁６１の内面６１ｂの一部と、側壁３２の外面３２ａとが向かい合う。なお、外側壁６１の内面６１ｂの略全域と、側壁３２の外面３２ａとが、互いに向かい合っても良い。
【００６４】
支持壁６２は、底壁３１から＋Ｚ方向に離間した位置で、外側壁６１から筐体１１の内部に向かって突出する。支持壁６２は、側壁３２の端部３２ｂから＋Ｚ方向に離間している。支持壁６２は、略四角形の枠状に形成される。支持壁６２は、封止材６５を介して、表示装置１２を支持する。
【００６５】
封止材６５は、例えば、合成ゴムによって作られる。封止材６５は、表示装置１２がフロントカバー２２に当接することを抑制するとともに、表示装置１２と支持壁６２との間の隙間を水密に塞ぐ。言い換えると、封止材６５は、表示装置１２と支持壁６２との間の隙間から、水のような液体が筐体１１の内部に浸入することを抑制する。
【００６６】
図１のクッション材２３は、例えば、防水性の合成ゴムによって作られる。なお、クッション材２３は、他のエラストマーによって作られても良い。クッション材２３は、第３の領域４３においてリアカバー２１及びフロントカバー２２に取り付けられる。このため、クッション材２３は、筐体１１の角に設けられる。
【００６７】
タブレット１０の角が他の物体に衝突した場合、クッション材２３は、フロントカバー２２の外側壁６１よりも先に、当該他の物体に当接する。これにより、クッション材２３は、フロントカバー２２が損傷することを抑制する。
【００６８】
以上のタブレット１０は、例えば、ＩＰＸ２等級（防滴ＩＩ型）に準拠する防水（防滴）性能を有する。タブレット１０は、表示面１２ａが鉛直上方向に向いている場合に、鉛直から１５度の範囲で落ちてくる水滴による有害な影響がないように設計されている。なお、タブレット１０は、この例に限られない。
【００６９】
具体的には、図３に示すように、封止材６５が、表示装置１２とフロントカバー２２の支持壁６２との間の隙間を水密に塞ぐ。さらに、フロントカバー２２の外側壁６１が底壁３１の縁３１ｃ及び側壁３２を囲む。これにより、鉛直から１５度の範囲で落ちてくる水滴が筐体１１の内部に浸入することが抑制される。
【００７０】
例えば底壁３１の外面３１ａに液体が付着していた場合、側壁３２の外面３２ａと外側壁６１の内面６１ｂとの間の隙間Ｇに、毛細管現象によって液体が浸入する場合がある。少量の液体が隙間Ｇに浸入した場合、液体は隙間Ｇに留まる。このため、液体が筐体１１の内部に浸入することが抑制される。
【００７１】
液体が側壁３２の切欠き３２ｃから、筐体１１の内部に浸入する可能性がある。また、液体が隙間Ｇを越えて、筐体１１の内部に浸入する可能性がある。切欠き３２ｃ又は隙間Ｇから筐体１１の内部に浸入した液体は、底壁３１の縁３１ｃに近い第２の領域４２に付着する。
【００７２】
液体は、シボ加工された第２の領域４２で濡れ広がる。リブ４５の第１のリブ４５ａは、第１の領域４１と第２の領域４２との間を隔てることで、液体が第２の領域４２から第１の領域４１へ浸入することを抑制する。また、リブ４５は、第２の領域４２と内面３１ｂの他の部分との間を隔てることで、液体が第２の領域４２から内面３１ｂの他の部分へ浸入することを抑制する。すなわち、リブ４５は、液体を第２の領域４２に留めることができる。
【００７３】
第２の領域４２で濡れ広がった液体は、孔５１を形成する縁面５４にも濡れ広がる。これにより、液体は、孔５１から筐体１１の外部に排出される。例えば、縁面５４で濡れ広がる液体が所定量まで溜まると、当該液体が重力により縁面５４から離れ、孔５１から筐体１１の外部へ落下する。
【００７４】
液体は、第２の領域４２に留まり、孔５１から排出される。従って、液体が基板１４のような電気が流れる部品に到達することが抑制され、液体がタブレット１０に影響を及ぼすことが抑制される。
【００７５】
以上のように、タブレット１０（電子機器）の筐体１１は、孔５１が設けられた底壁３１（外壁）と、底壁３１に設けられ、第１の領域４１と、孔５１の一方の端が開口し、第１の領域４１よりも底壁３１の縁３１ｃに近く、第１の領域４１よりも濡れ性が大きい、第２の領域４２と、を有する内面３１ｂと、内面３１ｂの反対側で底壁３１に設けられ、孔５１の他方の端が開口する外面３１ａと、を備える。このような構成によれば、底壁３１の縁３１ｃの近傍から筐体１１の内部に浸入した水のような液体は、第１の領域４１よりも第２の領域４２に付着しやすい。当該液体は、第２の領域４２で濡れ広がり、第２の領域４２に開口する孔５１から筐体１１の外部へと排出され得る。これにより、筐体１１の内部に液体が浸入したとしても、当該液体が第１の領域４１の上に配置された部品まで到達することが抑制される。従って、本実施形態のタブレット１０の筐体１１は、簡素な構造により液体がタブレット１０に影響を及ぼすことを抑制することができ、タブレット１０のコストが増大することを抑制できる。また、隙間Ｇに、例えば封止材を充填する必要が無い。従って、フロントカバー２２をリアカバー２１から容易に取り外すことができ、タブレット１０の保守が容易になる。
【００７６】
また、タブレット１０の筐体１１は、底壁３１に設けられ、孔５１の少なくとも一部を形成し、第２の領域４２と連続し、第１の領域４１よりも濡れ性が大きい縁面５４、をさらに備える。このような構成によれば、第２の領域４２で濡れ広がった液体は、縁面５４にも濡れ広がり、当該縁面５４が形成する孔５１から筐体１１の外部に排出され得る。これにより、筐体１１の内部に浸入した液体が筐体１１の外部に排出されやすくなる。従って、筐体１１の内部に浸入した液体が第１の領域４１の上に配置された部品まで到達することが抑制される。
【００７７】
また、タブレット１０の筐体１１では、孔５１は、第１のテーパ部５１ａと、第１のテーパ部５１ａよりも第２の領域４２に近く、外面３１ａに向かうに従って縮小する第２のテーパ部５１ｂと、を有する。このような構成によれば、孔５１は、第２の領域４２の近傍においてテーパ状に形成される。これにより、第２の領域４２で濡れ広がった液体が、孔５１から筐体１１の外部に排出されやすくなる。従って、筐体１１の内部に浸入した液体が第１の領域４１の上に配置された部品まで到達することが抑制される。
【００７８】
また、タブレット１０の筐体１１は、内面３１ｂから突出し、第１の領域４１と第２の領域４２との間に位置するリブ４５、をさらに備える。このような構成によれば、リブ４５が、第２の領域４２で濡れ広がった液体を第２の領域４２に留め、当該液体が第１の領域４１まで浸入することを抑制する。従って、筐体１１の内部に浸入した液体が第１の領域４１の上に配置された部品まで到達することが抑制される。
【００７９】
また、タブレット１０の筐体１１では、リブ４５は、第２の領域４２を囲み、第２の領域４２と内面３１ｂの他の部分との間を隔てる。このような構成によれば、リブ４５が、第２の領域４２で濡れ広がった液体を第２の領域４２に留め、当該液体が第１の領域４１のような内面３１ｂの他の部分まで浸入することを抑制する。従って、筐体１１の内部に浸入した液体が筐体１１の内部に収容された部品まで到達することが抑制される。
【００８０】
また、タブレット１０の筐体１１では、筐体１１の内部に配置された送風機５７ａによって流動する気体が孔５１を通過する。このような構成によれば、孔５１が吸気口又は排気口としても用いられる。従って、筐体１１に排水のための孔５１と吸気口又は排気口とを別々に設ける必要が無く、多数の孔の形成によって筐体１１の強度が低下することが抑制される。
【００８１】
また、タブレット１０の筐体１１では、孔５１は、底壁３１の縁３１ｃに沿って並ぶ複数の孔５１を含む。このような構成によれば、底壁３１の縁３１ｃの近傍のいずれの位置から液体が筐体１１の内部に浸入したとしても、当該液体が孔５１から筐体１１の外部に排出されやすくなる。また、長く延びる一つの孔５１が底壁３１に設けられる場合に比べ、筐体１１の強度が低下することが抑制される。
【００８２】
以上の実施形態において、第１の領域４１と第２の領域４２との間にリブ４５が設けられた。しかし、リブ４５は、省略されても良い。この場合、例えば濡れ性の差によって、液体は第２の領域４２に留まり、第１の領域４１に浸入することが抑制される。また、第２の領域４２が、底壁３１の縁３１ｃに向かうに従って外面３１ａに近づくように傾斜しても良い。当該傾斜によって、液体が第１の領域４１に浸入することが抑制される。
【００８３】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００８４】
１０…タブレットコンピュータ（電子機器）、１１…筐体、３１…底壁（外壁）、３１ａ…外面、３１ｂ…内面、３１ｃ…縁、４１…第１の領域、４２…第２の領域、４５…リブ（突出壁）、５１…孔、５１ａ…第１のテーパ部（第１の部分）、５１ｂ…第２のテーパ部（第２の部分）、５４…縁面、５７ａ…送風機。
【要約】
【課題】液体が電子機器に影響を及ぼすことを抑制可能であるとともにコストが増大することを抑制可能な電子機器の筐体を得る。
【解決手段】電子機器の筐体は、孔が設けられた外壁と、前記外壁に設けられ、第１の領域と、前記孔の一方の端が開口し、前記第１の領域よりも前記外壁の縁に近く、前記第１の領域よりも濡れ性が大きい、第２の領域と、を有する内面と、前記内面の反対側で前記外壁に設けられ、前記孔の他方の端が開口する外面と、を備える。
【選択図】図３【図１】
0006867602.tif 000002
【図２】
0006867602.tif 000003
【図３】
0006867602.tif 000004
【図４】
0006867602.tif 000005
【図５】
0006867602.tif 000006
【図６】
0006867602.tif 000007